(57)【要約】【課題】閲覧者の位置情報に応じて、蓄積された撮影画像を検索して表示することが可能な撮影画像表示システムを提供する。【解決手段】撮影された画像である撮影画像を表示する撮影画像表示システム１であって、表示部１７と、撮影画像を記憶する撮影画像記憶部１１と、表示部１７の位置に関する位置情報を取得する位置情報取得部１３と、位置情報取得部１３により取得された位置情報に基づいて、撮影画像記憶部１１に記憶された撮影画像から特定の撮影画像を抽出する情報処理部１２と、を備え、表示部１７は、前記情報処理部により抽出された特定の撮影画像を表示する。【選択図】図１
2010134881.tif 000002
【特許請求の範囲】
【請求項１】
撮影された画像である撮影画像を表示する撮影画像表示システムであって、
表示部と、
前記撮影画像を記憶する撮影画像記憶部と、
前記表示部の位置に関する位置情報を取得する位置情報取得部と、
前記位置情報取得部により取得された位置情報に基づいて、前記撮影画像記憶部に記憶された撮影画像から特定の撮影画像を抽出する情報処理部と、
を備え、
前記表示部は、前記情報処理部により抽出された特定の撮影画像を表示する
撮影画像表示システム。
【請求項２】
請求項１に記載の撮影画像表示システムであって、更に、
前記表示部の向きに関する方向情報を取得する方向情報取得部を備え、
前記撮影画像記憶部は、前記撮影画像と当該撮影画像が撮影された位置に関する撮影位置情報とを対応付けて記憶し、
前記情報処理部は、前記位置情報取得部により取得された位置情報、前記方向情報取得部により取得された方向情報、および、前記撮影画像記憶部に記憶された撮影位置情報に基づいて、前記特定の撮影画像を抽出する
撮影画像表示システム。
【請求項３】
請求項２に記載の撮影画像表示システムであって、
前記情報処理部は、
前記位置情報取得部により取得された位置情報が示す位置を基点として、方向情報取得部により取得された方向情報が示す方向に、前記撮影画像記憶部に記憶された撮影位置情報が示す位置が存在するか否かを判定し、存在する場合には、当該撮影位置情報に対応付けられた撮影画像を前記特定の撮影画像として抽出する
撮影画像表示システム。
【請求項４】
請求項１ないし３のいずれか１項に記載の撮影画像表示システムであって、更に、
前記表示部と前記表示部を閲覧する閲覧者との距離に関する距離情報を取得する距離情報取得部を備え、
前記情報処理部は、前記距離情報取得部により取得された距離情報に基づいて、前記表示部により表示される前記特定の撮影画像を切り替える
撮影画像表示システム。
【請求項５】
請求項４に記載の撮影画像表示システムであって、
前記情報処理部は、前記距離情報取得部により取得された距離情報が示す距離が所定距離である場合、前記特定の撮影画像の切り替えを継続する
撮影画像表示システム。
【請求項６】
請求項４に記載の撮影画像表示システムであって、
前記情報処理部は、前記距離情報取得部により取得された距離情報に対応する撮影画像に前記特定の撮影画像を切り替える
撮影画像表示システム。
【請求項７】
請求項２ないし６のいずれか１項に記載の撮影画像表示システムであって、更に、
前記表示部により表示された特定の撮影画像を目的地画像として設定する目的地設定部を備え、
前記情報処理部は、前記位置情報取得部により取得された位置情報と前記目的地設定部により設定された目的地画像に対応付けられた撮影位置情報とを比較し、
前記表示部は、前記位置情報と前記撮影位置情報との差分を示す情報を表示する
撮影画像表示システム。
【請求項８】
請求項１ないし７のいずれか１項に記載の撮影画像表示システムであって、更に、
前記情報処理部により前記特定の撮影画像を抽出するための検索モードを設定する検索モード設定部を備え、
前記情報処理部は、前記検索モード設定部により設定された検索モードに基づいて、前記特定の撮影画像を抽出する
撮影画像表示システム。
【請求項９】
請求項１ないし８のいずれか１項に記載の撮影画像表示システムであって、
前記撮影画像記憶部は、前記撮影画像と当該撮影画像を閲覧可能状態とするか否かを示す開示情報とを対応付けて記憶し、当該開示情報として、前記撮影画像の閲覧可能者を無制限とするパブリック情報または前記撮影画像の閲覧可能者を制限するプライベート情報を記憶し、
前記情報処理部は、前記開示情報に基づいて、前記特定の撮影画像を抽出する
撮影画像表示システム。
【請求項１０】
請求項９に記載の撮影画像表示システムであって、
前記撮影画像記憶部は、前記撮影画像と当該撮影画像の閲覧可能者を識別するための閲覧可能者識別情報とを対応付けて記憶し、
前記情報処理部は、前記撮影画像記憶部に前記開示情報としてプライベート情報が記憶されている場合、前記特定の撮影画像として、前記撮影画像の閲覧希望者を識別するための識別情報と一致する前記閲覧可能者識別情報に対応付けられた撮影画像を抽出する
撮影画像表示システム。
【請求項１１】
請求項２ないし１０のいずれか１項に記載の撮影画像表示システムであって、更に、
時刻情報を取得する時刻情報取得部を備え、
前記撮影画像記憶部は、前記撮影画像と当該撮影画像が撮影された時刻に関する撮影時刻情報とを対応付けて記憶し、
前記情報処理部は、前記撮影画像記憶部に略一致する撮影位置情報が複数記憶されている場合、前記特定の撮影画像のうち、当該撮影位置情報に対応付けられた撮影画像として、当該撮影位置情報および前記時刻情報取得部により取得された時刻情報と同一時間帯の前記撮影時刻情報に対応付けられた撮影画像を抽出する
撮影画像表示システム。
【請求項１２】
請求項２ないし１１のいずれか１項に記載の撮影画像表示システムであって、更に、
時刻情報を取得する時刻情報取得部を備え、
前記撮影画像記憶部は、前記撮影画像と当該撮影画像が撮影されたときの天気に関する撮影時天気情報とを対応付けて記憶し、
前記情報処理部は、前記撮影画像記憶部に略一致する撮影位置情報が複数記憶されている場合、前記特定の撮影画像のうち、当該撮影位置情報に対応付けられた撮影画像として、当該撮影位置情報と、前記位置情報取得部により取得された位置情報および前記時刻情報取得部により取得された時刻情報に基づいて取得された天気情報と一致する撮影時天気情報と、に対応付けられた撮影画像を抽出する
撮影画像表示システム。
【請求項１３】
請求項２ないし１２のいずれか１項に記載の撮影画像表示システムであって、更に、
前記表示部の傾きに関する傾き情報を取得する傾き情報取得部を備え、
前記情報処理部は、前記撮影画像記憶部に略一致する撮影位置情報が複数記憶されている場合、前記傾き情報取得部により取得された傾き情報に基づいて、前記表示部により表示される前記撮影位置情報に対応付けられた前記特定の撮影画像を切り替える
撮影画像表示システム。
【請求項１４】
撮影された画像である撮影画像を表示する撮影画像表示システムにおける撮影画像表示方法であって、
表示部の位置に関する位置情報を取得する位置情報取得ステップと、
前記取得された位置情報に基づいて、前記撮影画像を記憶する撮影画像記憶部に記憶された撮影画像から特定の撮影画像を抽出する抽出ステップと、
前記抽出された特定の撮影画像を前記表示部に表示する表示ステップと
を有する撮影画像表示方法。
【発明の詳細な説明】
【技術分野】
【０００１】
本発明は、撮影された画像を表示する撮影画像表示システムおよび撮影画像表示方法に関する。
【背景技術】
【０００２】
近年、写真画像をデータベースに蓄積し、蓄積された写真画像を後日検索して閲覧することが広く行われている。写真画像をデータベース化することにより、実際にその写真の撮影時に撮影場所に居合わせなかった人であっても、データベースから写真画像を検索して表示装置に表示することで、写真画像の内容について知ることができる。
【０００３】
写真画像がデータベースに大量に蓄積されるようになると、所望の写真画像を検索することが困難になることが考えられる。そこで、未整理の写真画像を、写真画像を閲覧する閲覧者が入力する簡単な検索文で検索することができる写真画像検索装置が知られている（例えば、特許文献１参照）。
【０００４】
【特許文献１】特開２００６−２３５９１０号公報
【発明の開示】
【発明が解決しようとする課題】
【０００５】
特許文献１の技術によれば、例えば街中を歩いているときに、気に入った店や景色がある場合に、カメラで撮影し、撮影した写真画像をデータベースに蓄積することができる。また、閲覧者が何らかの入力を行うことにより、多くの写真画像の中から所望の写真画像を手軽に検索して、その街の気に入った店や景色を思い出すこともできる。
【０００６】
しかしながら、閲覧者が所望の写真画像を選択しなければならないため、例えば閲覧者がその街をはじめて訪れた場合には、データベースに蓄積された写真画像をうまく検索することができない。したがって、閲覧者の現在位置を基準として、その閲覧者にとって有益と思われる写真画像を自動的に検索し、閲覧できるようにすることが好ましい。
【０００７】
本発明は、上記事情に鑑みてなされたものであり、閲覧者の位置情報に応じて、蓄積された撮影画像を検索して表示することが可能な撮影画像表示システムおよび撮影画像表示方法を提供することを目的とする。
【課題を解決するための手段】
【０００８】
本発明の撮影画像表示システムは、撮影された画像である撮影画像を表示する撮影画像表示システムであって、表示部と、前記撮影画像を記憶する撮影画像記憶部と、前記表示部の位置に関する位置情報を取得する位置情報取得部と、前記位置情報取得部により取得された位置情報に基づいて、前記撮影画像記憶部に記憶された撮影画像から特定の撮影画像を抽出する情報処理部と、を備え、前記表示部は、前記情報処理部により抽出された特定の撮影画像を表示する。
【０００９】
この構成により、閲覧者の位置情報に応じて、蓄積された撮影画像を検索して表示することが可能である。
【００１０】
本発明の撮影画像表示システムは、前記表示部の向きに関する方向情報を取得する方向情報取得部を備え、前記撮影画像記憶部が、前記撮影画像と当該撮影画像が撮影された位置に関する撮影位置情報とを対応付けて記憶し、前記情報処理部が、前記位置情報取得部により取得された位置情報、前記方向情報取得部により取得された方向情報、および、前記撮影画像記憶部に記憶された撮影位置情報に基づいて、前記特定の撮影画像を抽出する。
【００１１】
この構成により、閲覧者の位置情報および方向情報に応じて、蓄積された撮影画像を検索して表示することが可能である。
【００１２】
また、本発明の撮影画像表示システムは、前記情報処理部が、前記位置情報取得部により取得された位置情報が示す位置を基点として、方向情報取得部により取得された方向情報が示す方向に、前記撮影画像記憶部に記憶された撮影位置情報が示す位置が存在するか否かを判定し、存在する場合には、当該撮影位置情報に対応付けられた撮影画像を前記特定の撮影画像として抽出する。
【００１３】
この構成により、表示部を備える表示端末を所持する閲覧者を基点に、表示端末（表示部）の向いている方向において、いずれかの地点における撮影画像が撮影画像記憶部に記憶されている場合には、その撮影画像を特定の撮影画像（表示候補となる撮影画像）として抽出できる。すなわち、閲覧者の位置情報と表示端末の向きに応じて、蓄積された撮影画像を検索して表示することが可能である。
【００１４】
また、本発明の撮影画像表示システムは、前記表示部と前記表示部を閲覧する閲覧者との距離に関する距離情報を取得する距離情報取得部を備え、前記情報処理部が、前記距離情報取得部により取得された距離情報に基づいて、前記表示部により表示される前記特定の撮影画像を切り替える。
【００１５】
この構成により、例えば表示部と閲覧者の顔との距離に応じて、特定の撮影画像が複数ある場合に順次特定の撮影画像を切り替えて表示することができる。
【００１６】
また、本発明の撮影画像表示システムは、前記情報処理部が、前記距離情報取得部により取得された距離情報が示す距離が所定距離である場合、前記特定の撮影画像の切り替えを継続する。
【００１７】
この構成により、距離情報が近い距離の範囲を示す場合には、その距離を維持する限り、遠い方から近い方へ順次特定の撮影画像を切り替えたり、距離情報が遠い距離の範囲を示す場合には、その距離を維持する限り、近い方から遠い方へ順次特定の撮影画像を切り替えたりすることができる。
【００１８】
また、本発明の撮影画像表示システムは、前記情報処理部が、前記距離情報取得部により取得された距離情報に対応する撮影画像に前記特定の撮影画像を切り替える。
【００１９】
この構成により、特定の各撮影画像と各距離とを対応づけて、距離情報が示す距離の絶対値に応じて特定の撮影画像を１つ選択することができる。
【００２０】
また、本発明の撮影画像表示システムは、前記表示部により表示された特定の撮影画像を目的地画像として設定する目的地設定部を備え、前記情報処理部が、前記位置情報取得部により取得された位置情報と前記目的地設定部により設定された目的地画像に対応付けられた撮影位置情報とを比較し、前記表示部が、前記位置情報と前記撮影位置情報との差分を示す情報を表示する。
【００２１】
この構成により、表示中の撮影画像を目的地画像として設定することで、表示部を移動させても表示される画像が切り替わらないようにキャプチャーすることができ、さらに、目的地と閲覧者の現在地との差分を表示させることで、表示部を備える表示端末をナビゲーションツールとして活用することができる。
【００２２】
また、本発明の撮影画像表示システムは、前記情報処理部により前記特定の撮影画像を抽出するための検索モードを設定する検索モード設定部を備え、前記情報処理部が、前記検索モード設定部により設定された検索モードに基づいて、前記特定の撮影画像を抽出する。
【００２３】
この構成により、近距離（観光）モード、遠距離モード、ローカルモード等を設定し、その設定された検索モードに応じて抽出対象となる撮影画像を異なるようにすることができる。これにより、例えば近距離モードおよび遠距離モードの場合には抽出対象の撮影画像の数が減少するために処理負荷を軽減することが可能であり、ローカルモードの場合には撮影画像記憶部や情報処理部を画像サーバや情報処理サーバとして備える必要がなく、これらのサーバと所定の通信回線を介して通信を行う必要がないため、ネットワーク負荷を軽減することが可能である。
【００２４】
また、本発明の撮影画像表示システムは、前記撮影画像記憶部が、前記撮影画像と当該撮影画像を閲覧可能状態とするか否かを示す開示情報とを対応付けて記憶し、当該開示情報として、前記撮影画像の閲覧可能者を無制限とするパブリック情報または前記撮影画像の閲覧可能者を制限するプライベート情報を記憶し、前記情報処理部が、前記開示情報に基づいて、前記特定の撮影画像を抽出する。
【００２５】
この構成により、特定の撮影画像のうち、特定の人にのみ撮影画像を公開したい場合には、閲覧可能者を制限することが可能となる。
【００２６】
また、本発明の撮影画像表示システムは、前記撮影画像記憶部が、前記撮影画像と当該撮影画像の閲覧可能者を識別するための閲覧可能者識別情報とを対応付けて記憶し、前記情報処理部が、前記撮影画像記憶部に前記開示情報としてプライベート情報が記憶されている場合、前記特定の撮影画像として、前記撮影画像の閲覧希望者を識別するための識別情報と一致する前記閲覧可能者識別情報に対応付けられた撮影画像を抽出する。
【００２７】
この構成により、プライベート情報が設定されている場合には、例えば閲覧者を識別する閲覧者ＩＤ、複数の閲覧者で構成されるグループＩＤ等により閲覧可能者であるか否かを判別し、判別結果に応じて閲覧可否を決定することができる。そのため、不特定の閲覧者に所望の撮影画像を公開することなく、特定の閲覧者の間でのみ撮影画像を共有することができる。
【００２８】
また、本発明の撮影画像表示システムは、時刻情報を取得する時刻情報取得部を備え、前記撮影画像記憶部が、前記撮影画像と当該撮影画像が撮影された時刻に関する撮影時刻情報とを対応付けて記憶し、前記情報処理部が、前記撮影画像記憶部に略一致する撮影位置情報が複数記憶されている場合、前記特定の撮影画像のうち、当該撮影位置情報に対応付けられた撮影画像として、当該撮影位置情報および前記時刻情報取得部により取得された時刻情報と同一時間帯の前記撮影時刻情報に対応付けられた撮影画像を抽出する。
【００２９】
この構成により、閲覧者が閲覧する閲覧時間と撮影画像記憶部に記憶された撮影画像が撮影された撮影時間が近いもの（例えば夕暮れ時）を表示させることができ、その時間帯におけるその撮影画像の撮影位置の雰囲気を確認できる。
【００３０】
また、本発明の撮影画像表示システムは、時刻情報を取得する時刻情報取得部を備え、前記撮影画像記憶部が、前記撮影画像と当該撮影画像が撮影されたときの天気に関する撮影時天気情報とを対応付けて記憶し、前記情報処理部が、前記撮影画像記憶部に略一致する撮影位置情報が複数記憶されている場合、前記特定の撮影画像のうち、当該撮影位置情報に対応付けられた撮影画像として、当該撮影位置情報と、前記位置情報取得部により取得された位置情報および前記時刻情報取得部により取得された時刻情報に基づいて取得された天気情報と一致する撮影時天気情報と、に対応付けられた撮影画像を抽出する。
【００３１】
この構成により、閲覧者が閲覧する閲覧時の天気と撮影画像記憶部に記憶された撮影画像が撮影されたときの天気が同じもの（例えば晴れのもの）を表示させることができ、その天気におけるその撮影画像の撮影位置の雰囲気を確認できる。
【００３２】
また、本発明の撮影画像表示システムは、前記表示部の傾きに関する傾き情報を取得する傾き情報取得部を備え、前記情報処理部が、前記撮影画像記憶部に略一致する撮影位置情報が複数記憶されている場合、前記傾き情報取得部により取得された傾き情報に基づいて、前記表示部により表示される前記撮影位置情報に対応付けられた前記特定の撮影画像を切り替える。
【００３３】
この構成により、同一地点における被写体の画像が撮影画像記憶部に複数記憶されている場合には、表示部（例えば表示画面）の傾きを変更することにより、その被写体の異なる撮影画像に切り替えることができる。これにより、同じ被写体を異なる角度から見た場合について認識することが可能となる。
【００３４】
また、本発明の撮影画像表示方法は、撮影された画像である撮影画像を表示する撮影画像表示システムにおける撮影画像表示方法であって、表示部の位置に関する位置情報を取得する位置情報取得ステップと、前記取得された位置情報に基づいて、前記撮影画像を記憶する撮影画像記憶部に記憶された撮影画像から特定の撮影画像を抽出する抽出ステップと、前記抽出された特定の撮影画像を前記表示部に表示する表示ステップとを有する。
【００３５】
この方法により、閲覧者の位置情報に応じて、蓄積された撮影画像を検索して表示することが可能である。
【発明の効果】
【００３６】
本発明によれば、閲覧者の位置情報に応じて、蓄積された撮影画像を検索して表示することが可能である。
【発明を実施するための最良の形態】
【００３７】
以下、本発明の実施形態の撮影画像表示システムおよび撮影画像表示方法について、添付図面を参照して詳細に説明する。
【００３８】
図１は本発明の実施形態における撮影画像表示システムの構成の一例を示すブロック図である。図１に示す撮影画像表示システム１は、撮影画像記憶部１１、情報処理部１２、位置情報取得部１３、方向情報取得部１４、距離情報取得部１５、操作部１６、表示部１７、撮影部１８を備える。
【００３９】
また、撮影画像表示システム１を利用して撮影画像を閲覧する閲覧者は、表示部１７を備える表示端末２０を所持する。この表示端末２０を所持することで、閲覧者の所在地に応じた撮影画像の閲覧を行うことができる。表示端末２０は、撮影画像表示システム１の各構成部のうち、少なくとも、位置情報取得部１３、方向情報取得部１４、距離情報取得部１５、操作部１６、表示部１７を備える。なお、表示端末としては、例えば携帯電話などの携帯端末がある。
【００４０】
撮影画像記憶部１１は、撮影部１８により撮影された撮影画像を記憶するデータベースである。撮影画像には、デジタルカメラ機能で撮影された写真等の静止画像やデジタルビデオカメラ機能で撮影された動画像が含まれる。また、撮影画像記憶部１１は、撮影画像の他に付加情報を記憶する。撮影画像記憶部１１は、付加情報として、撮影画像が撮影された位置を表す撮影位置情報、撮影画像を識別するための撮影画像識別情報（撮影画像識別ＩＤ）を記憶する。さらに、撮影画像の開示の可否を表す開示情報、撮影画像の撮影時刻に関する撮影時刻情報、撮影時の天気に関する撮影時天気情報が記憶されてもよい。開示情報、撮影時刻情報、撮影時天気情報の詳細については後述する。上記の付加情報は、関連する撮影画像に対応付けられて記憶される。
【００４１】
情報処理部１２は、撮影画像表示システム１に含まれる他の構成部の制御や各種処理を行う。
【００４２】
位置情報取得部１３は、表示端末２０の位置（つまり表示部１７の位置）に関する位置情報を取得する。例えば、ＧＰＳ（Global Positioning System）機能により位置情報を取得する。また、無線通信回線を介して位置情報を特定してもよい。位置情報には、例えば経度、緯度、高度の各情報が含まれる。
【００４３】
方向情報取得部１４は、表示端末２０の向き（つまり表示端末２０が向いている方向、方角、もしくは方位）に関する方向情報を取得する。例えば、地磁気センサにより地球が生じている南北の地磁気を検出して方角を算出する電子コンパスの機能により、方向情報を取得する。方向情報には、例えば東西南北等の方位の情報が含まれる。
【００４４】
距離情報取得部１５は、表示端末２０と表示端末２０を閲覧する閲覧者（特に閲覧者の顔）との距離（つまり表示部１７と表示部１７を閲覧する閲覧者との距離）に関する距離情報を取得する。例えば、各種距離センサ（赤外線式距離センサ、レーザ式距離センサなど）により距離情報を取得する。また、表示端末２０に撮影部１８が配置されている場合には、表示端末２０を閲覧する閲覧者の顔を撮影部１８により撮影し、情報処理部１２が撮影された撮影画像に対して所定の画像認識処理（顔の大きさを認識するなど）を行うことで、表示端末２０と閲覧者の顔との距離情報を取得するようにしてもよい。なお、距離センサによる距離情報取得と画像認識処理による距離情報取得とを比較すると、距離センサを用いた方が処理量が少なく済むために、より好ましい。距離情報には、例えば２０ｃｍなど実際の距離の情報が含まれる。
【００４５】
操作部１６は、撮影画像表示システム１における各種設定を行う。例えば、後述する検索モードの切り替え設定を行う。
【００４６】
表示部１７は、撮影画像記憶部１１に記憶された撮影画像の中から、情報処理部１２により選択された撮影画像を表示する。
【００４７】
撮影部１８は、人物や景色などの被写体を撮影する。
【００４８】
次に、撮影画像表示システム１の主要な動作について説明する。
図２は撮影画像表示システム１の主要な動作の一例を示すフローチャートである。
【００４９】
まず、情報処理部１２が、撮影画像表示システム１による撮影画像の検索を行うためのアプリケーションを起動する（ステップＳ１１）。
【００５０】
続いて、位置情報取得部１３が、表示端末２０が位置する位置情報を取得する（ステップＳ１２）。また、方向情報取得部１４が、表示端末２０が向きに関する方向情報を取得する（ステップＳ１３）。
【００５１】
続いて、情報処理部１２が、位置情報取得部１３が取得した位置情報、方向情報取得部１４が取得した方向情報、および、撮影画像記憶部１１に記憶された撮影位置情報に基づいて、撮影画像記憶部１１に記憶された撮影画像の中から特定の撮影画像を検索し、抽出する（ステップＳ１４）。そして、抽出した特定の撮影画像について、描画を行う。
【００５２】
具体的には、位置情報取得部１３が取得した位置情報が示す位置を基点として、方向情報取得部１４が取得した方向情報が示す方向を見たときに、その方向に撮影画像記憶部１１に記憶された撮影位置情報が示す位置があるか否かを判定する。当該方向に当該位置がある場合には、当該位置を表す位置情報に対応づけられて記憶された撮影画像が上記特定の撮影画像として抽出される。なお、抽出される撮影画像は複数であってもよい。
【００５３】
続いて、表示部１７が、情報処理部１２の指示に応じて、抽出された撮影画像を表示する（ステップＳ１５）。
【００５４】
図２の処理を行うことで、表示端末２０を所持する閲覧者の位置情報に応じて、蓄積された撮影画像を検索して表示することが可能である。
【００５５】
なお、ステップＳ１４における検索の結果、特定の撮影画像を抽出しなかった場合、つまり表示端末２０が向いている方向の撮影画像が撮影画像記憶部１１に記憶されていない場合、表示すべき撮影画像がない旨を示す情報を情報処理部１２の指示に応じて表示部１７が表示するようにしてもよい。また、この場合には何も表示しない（ブランクとする）ようにしてもよい。
【００５６】
次に、撮影画像表示システム１の具体的な構成例について説明する。
【００５７】
まず、撮影画像表示システム１の構成部１１〜１８をすべて一台の表示端末２０が備えてもよい。この場合、図２の処理の全てを１台の表示端末で完結することができる。
【００５８】
また、撮影画像表示システム１の構成部１１〜１８の一部を表示端末２０とは別に設けるようにしてもよい。例えば、撮影画像記憶部１１を表示端末２０と所定の通信回線を介して接続可能な画像サーバとして構成してもよい。また、情報処理部１２を表示端末２０と所定の通信回線を介して接続可能な情報処理サーバとして構成してもよい。情報処理サーバを用いることで、ステップＳ１４における特定の撮影画像の検索時間を短縮することができる。また、画像サーバと情報処理サーバとが１つのサーバであってもよい。
【００５９】
例えば、撮影画像表示システム１が、撮影画像記憶部１１を有する画像サーバと、情報処理部１２を備える情報処理サーバと、構成部１３〜１８を有する表示端末２０とを備えてもよい。また、撮影画像表示システム１が、撮影画像記憶部１１と情報処理部１２とを有する１つのサーバと、構成部１３〜１８を有する表示端末２０とを備えてもよい。また、撮影画像表示システム１が、撮影画像記憶部１１を有する画像サーバと、構成部１２〜１８を備える表示端末２０とを備えてもよい。また、撮影画像表示システム１が、情報処理部１２を有する情報処理サーバと、構成部１１、１３〜１８を備える表示端末２０とを備えてもよい。
【００６０】
さらに、撮影画像表示システム１の構成部１１〜１８の一部を、表示端末２０と、画像サーバまたは情報処理サーバまたは上記１つのサーバとが重複して備えていてもよい。例えば、撮影画像表示システム１が、撮影画像記憶部１１を有する画像サーバまたは情報処理部１２を備える情報処理サーバまたは撮影画像記憶部１１と情報処理部１２とを有する１つのサーバと、全構成部１１〜１８または構成部１２〜１８または構成部１１、１３〜１８を有する表示端末２０とを備えてもよい。
【００６１】
次に、特定の撮影画像として複数の撮影画像が抽出された場合の撮影画像表示システム１の動作について説明する。
【００６２】
図２のステップＳ１４において特定の撮影画像として複数の撮影画像が抽出された場合、情報処理部１２が、距離情報取得部１５により取得された距離情報に基づいて、複数の撮影画像のうち一つの撮影画像を選択する。
【００６３】
このとき、情報処理部１２は、例えば距離情報が示す距離について３段階に分別し、距離情報に応じて段階的に順次切り替えるよう制御してもよい。具体的には、距離情報が最も近い距離を示す場合には、表示部１７に表示されている撮影画像から、より表示端末２０に近い撮影画像を表示するように、順次表示部１７に表示される撮影画像を切り替えるよう制御する。つまり、表示画面と閲覧者の顔との距離が最も近い距離を維持する限り、表示部１７に表示される撮影画像を表示端末２０からの距離が遠い方から近い方へ順次切り替える。また、距離情報が中程度の距離を示す場合には、表示部１７に表示されている撮影画像から切り替えないように制御する。また、距離情報が最も遠い距離を示す場合には、表示部１７に表示されている撮影画像から、より表示端末２０に遠い撮影画像を表示するように、順次表示部１７に表示される撮影画像を切り替えるよう制御する。つまり、表示画面と閲覧者の顔との距離が最も遠い距離を維持する限り、表示部１７に表示される撮影画像を表示端末２０からの距離が近い方から遠い方へ順次切り替える。ここで、最も近い距離としては例えば０〜１０ｃｍとすることができ、中程度の距離としては例えば１０〜２０ｃｍとすることができ、最も遠い距離とは例えば２０ｃｍ以上とすることができる。なお、３段階は一例であり、２段階またはより多くの段階を有するようにしてもよい。
【００６４】
また、情報処理部１２は、距離情報が示す距離に応じて切り替えを継続するよう制御するのではなく、距離情報の示す距離と表示部１７に表示させる撮影画像とを１対１に対応させておき、距離情報に応じて表示させる撮影画像を選択するようにしてもよい。例えば、距離が５ｃｍの場合には撮影画像Ａ、距離が１０ｃｍの場合には撮影画像Ｂ、距離が１５ｃｍの場合には撮影画像Ｃ、距離が２０ｃｍの場合には撮影画像Ｄ、距離が２５ｃｍの場合には撮影画像Ｅ、距離が３０ｃｍの場合には撮影画像Ｆを表示部１７に表示させる。
【００６５】
なお、表示端末２０が画像サーバを利用する場合には、距離が近い撮影画像からもしくは距離が遠い撮影画像から順に取得し、表示部１７が情報処理部１２の指示に応じて順に表示するようにしてもよい。これにより、通信回線の負荷を軽減することができる。
【００６６】
このように、特定の撮影画像として複数の撮影画像が抽出された場合であっても、表示端末２０の閲覧者は、表示端末２０が向いている方向において、近い距離には何があるのか、遠い距離には何があるのかを直感的に把握することが可能である。
【００６７】
例えば図３に示すように、閲覧者の位置を基点として、近距離の景色（ここでは教会）３１、中距離の景色（ここでは橋）３２、遠距離の景色（ここでは塔）３３を、表示端末２０と閲覧者３０の距離ｄを変更するのみで、次々と切り替えて楽しむことができる。
【００６８】
次に、表示端末２０を所持する閲覧者が、表示部１７に表示された撮影画像から目的地を設定した場合について説明する。
図４は、撮影画像表示システム１が表示中の撮影画像から目的地を設定した場合の動作の一例を示すフローチャートである。
【００６９】
まず、閲覧者の指示により、操作部１６が、表示部１７に表示されている撮影画像を目的地画像として設定することで、この撮影画像の撮影場所を目的地として設定する（ステップＳ２１）。目的地画像が設定されると、表示端末２０の位置や向きを変更しても、表示中の撮影画像が変更されることなく表示が継続される。つまり、表示中の撮影画像がキャプチャーされる。
【００７０】
続いて、情報処理部１２が、撮影画像記憶部１１を参照し、表示中の撮影画像に対応付けられた撮影位置情報を取得する（ステップＳ２２）。
【００７１】
続いて、情報処理部１２が、位置情報取得部１３により取得した位置情報と上記撮影位置情報とを比較する（ステップＳ２３）。
【００７２】
続いて、表示部１７が、情報処理部１２の指示に応じて、比較結果として両者の差分を示す情報を表示する（ステップＳ２４）。例えば、目的地が現在地から東の方向に位置し、現在地から目的地までの距離が３００ｍの場合には、表示部１７により表示された撮影画像とともに、東方向を指し示す矢印と、３００ｍである旨を示す情報を表示する。また、ＧＰＳ機能により地図情報を取得し、目的地が分かるように表示してもよい。
【００７３】
図４の処理を行うことで、表示部１７に表示された撮影画像から表示端末２０の閲覧者が行きたいと思う場所を目的地として設定することで、街中を歩き回ることで現在地と目的地との位置関係が目的地設定時と異なる状態になったとしても、的確に目的地まで誘導することが可能となる。つまり、表示中の撮影画像を撮影位置を目的地として設定することで、表示端末２０をナビゲーションツールとして利用することができる。
【００７４】
次に、撮影画像記憶部１１に記憶される開示情報を考慮して特定の撮影画像を検索する場合について説明する。
【００７５】
開示情報としては、閲覧を希望する全ての表示端末２０の閲覧者に対して開示を許可する（閲覧可能状態とする）パブリック情報、または、閲覧を希望する特定の表示端末２０の閲覧者に対してのみ開示を許可するプライベート情報が記憶される。
【００７６】
開示情報がプライベート情報の場合には、情報処理部１２が、表示端末２０の閲覧者を識別するための閲覧者識別ＩＤや複数の表示端末２０の閲覧者で構成されるグループを識別するためのグループＩＤをもとに、開示の可否を判定する。つまり、あらかじめ開示を許可する閲覧者識別ＩＤまたはグループＩＤを登録しておき、この登録ＩＤと撮影画像の検索を行う表示端末２０の閲覧者（つまり閲覧希望者）の閲覧者識別ＩＤまたはグループＩＤとを比較し、一致するか否かを判定する。一致した場合（つまり開示が許可された場合）には、情報処理部１２は特定の撮影画像として抽出し、開示が拒否された場合には、情報処理部１２は特定の撮影画像として抽出しない。
【００７７】
開示情報をパブリック情報とするか、プライベート情報とするかについては、撮影画像が撮影画像記憶部１１に記憶されるときに操作部１６により設定してもよいし、記憶した後に操作部１６により設定してもよい。
【００７８】
このような開示情報を撮影画像記憶部１１に記憶することで、パブリック情報が記憶されている場合には、表示端末２０の閲覧者がお勧めしたい撮影画像を他の表示端末２０を所持する閲覧者が閲覧することが可能となる。また、プライベート情報が記憶されている場合には、表示端末２０の閲覧者もしくは所定のグループ専用のアルバムとして撮影画像記憶部１１に記憶された撮影画像を閲覧することができる。
【００７９】
次に、撮影画像記憶部１１に記憶される撮影時刻情報および撮影時天気情報を考慮して特定の撮影画像を検索する場合について説明する。
【００８０】
撮影画像記憶部１１に同一位置（略同一を含む）で撮影された撮影画像が複数記憶されている場合には、全ての撮影画像を特定の撮影画像として抽出するようにしてもよいが、撮影時刻や撮影時の天気をもとに検索を行ってもよい。なお、表示端末２０は、時刻情報取得部としての時計部（不図示）を備えることで現在の時刻情報を取得することができる。また、所定の通信回線を介して接続されるサーバと通信することで、位置情報取得部１３により取得した位置情報と時計部により取得した現在の時刻情報に基づいて、表示端末２０の所在地における現在の天気情報を取得することができる。
【００８１】
例えば、表示端末２０で撮影画像を検索しようとしている時間が昼の１２：００頃であれば、情報処理部１２が、同一位置における複数の抽出対象の撮影画像のうち、撮影時刻情報が同時間帯の撮影画像を優先的に抽出するようにしてもよい。また、表示端末２０で撮影画像を検索しようとしている時間が夜の９：００頃であれば、情報処理部１２が、同一位置における複数の抽出対象の撮影画像のうち、撮影時刻情報が同時間帯の撮影画像を優先的に抽出するようにしてもよい。これにより、昼時間帯と夜時間帯とで全く異なる景色となる場合であっても、表示端末２０の閲覧者がその状況を把握することができる。
【００８２】
また、例えば、表示端末１１が撮影画像を検索しようとしている時間に、表示端末１１の所在地の天気が晴れであれば、情報処理部１２が、同一位置における複数の抽出対象の撮影画像のうち、撮影時天気情報が晴れの撮影画像を優先的に抽出するようにしてもよい。また、表示端末１１が撮影画像を検索しようとしている時間に、表示端末１１の所在地の天気が雨であれば、情報処理部１２が、同一位置における複数の抽出対象の撮影画像のうち、撮影時天気情報が雨の撮影画像を優先的に抽出するようにしてもよい。これにより、昼時間帯と夜時間帯とで全く異なる景色となる場合であっても、表示端末２０の閲覧者がその状況を把握することができる。
【００８３】
次に、操作部１６が設定する検索モードについて説明する。
【００８４】
操作部１６は、検索モードとして、近距離モード、遠距離モード、ローカルモードの各検索モードを設定する。検索モードは、特定の撮影画像を抽出するための撮影画像記憶部１１の検索方法を示すものである。
【００８５】
近距離モードとは、例えば街中を歩くときや観光するときに便利な検索モードであり、表示端末２０の位置を中心とする所定のエリア内の撮影画像を検索することを希望する場合に設定する。近距離モードの場合には、表示端末２０から最も遠い場所であっても上記エリア外縁の位置に対応付けられた撮影画像が特定の撮影画像として抽出される。
【００８６】
近距離モードに設定することで、特に目的地がなくぶらぶら街中を歩く場合に、様々な経験をすることができる。例えば、街を歩きながら、直感的に、表示端末２０をかざすだけで、ビルの後ろの店や林の向こうの観光スポットを見出すことができる。この様子の一例を図５に示している。したがって、例えば名前がない裏通りに面している店であっても、表通りに面しているのと同じように、新規の一般客が多数来店する人気スポットになり得る。
【００８７】
遠距離モードとは、表示端末２０が向いた方向の遠方に何があるか確認することを希望する場合に設定する。遠距離モードの場合には、エリア制限なく撮影画像を検索するようにしてもよいし、近距離モードで参照可能な所定のエリア内の撮影画像は除外されるようにしてもよい。近距離モードの場合に検索される撮影画像を除外した場合には、表示端末２０から最も近い場所であっても上記エリア外縁の位置に対応付けられた撮影画像が特定の撮影画像として抽出される。
【００８８】
遠距離モードに設定することで、表示端末２０が向いている方向において、地球の裏側の撮影画像まで閲覧することが可能となる。
【００８９】
ローカルモードとは、撮影画像表示システム１の構成部１１〜１８をすべて表示端末２０が備える場合において、撮影部１８により撮影することで表示端末２０内の撮影画像記憶部１１に蓄積した撮影画像を、表示端末２０の閲覧者専用のアルバムとして活用することを希望する場合に設定する。つまり所定の通信回線を介して通信を行うことなく、撮影画像表示システム１の機能を表示端末２０内で完全に利用可能となる。つまり特定の撮影画像の検索も表示端末２０のみで完結する。
【００９０】
ローカルモードに設定することで、所定の通信回線が寸断されてしまった場合であっても、撮影画像表示システム１の全ての処理を実施可能となる。特に、広大な駐車場で所定の通信回線を使用することができない場合に、駐車するときにあらかじめ駐車付近を撮影しておくことで、駐車位置を忘れてしまったときであっても、水平方向（東西南北方向）に表示端末２０を移動させるだけで、駐車位置を確認することができる。さらに、ローカルモードとした上で、近距離モードや遠距離モードを組み合せて設定するようにしてもよい。これにより、先に説明した近距離モードや遠距離モードを設定した場合と同様の効果が得られる。
【００９１】
次に、撮影部１８により撮影した撮影画像を画像サーバにアップロードする場合について説明する。
【００９２】
情報処理部１２が、表示端末２０が備える撮影部１８により撮影した撮影画像を、画像サーバとしての撮影画像記憶部１１に所定の通信回線を介して記憶させる（アップロードする）ようにしてもよい。このとき、撮影画像とともに、所定の付加情報を記憶するようにすると、後から様々な条件で検索することが可能になる。付加情報の具体的な内容は先に説明したとおりの情報である。
【００９３】
図６に示すように、様々な表示端末２０を所持する閲覧者が各所において撮影した撮影画像を、撮影位置情報と対応づけて画像サーバにアップロードすることで、他の表示端末２０の閲覧者は、画像サーバにアクセスしたときにその閲覧者に有益な情報としてアップロードした撮影画像をダウンロードすることができる。このように、多くの表示端末２０の閲覧者が共有可能な撮影画像として活用できる。
【００９４】
このような撮影画像表示システム１によれば、表示端末２０を所持する閲覧者の位置情報に応じて、撮影画像記憶部１１に蓄積された撮影画像を検索して表示することが可能である。また、表示の際には、任意のスポットの店や景色を、ＧＰＳ機能により取得した第三者視点の地図情報として表示するのではなく、各表示端末２０の閲覧者により蓄積された一人称視点の撮影画像として表示することが可能となる。さらに、ビルの裏側の店や地球の裏側のスポットを一人称視点の撮影画像として表示することができるため、表示端末２０が向いている方向を透視することが可能となる。
【００９５】
なお、撮影画像表示システム１が、更に図示しない傾きセンサなどの傾き情報取得部を備え、表示端末２０の傾き（つまり表示部１７の傾き）に関する傾き情報を取得するようにしてもよい。そして、情報処理部１２が、撮影画像記憶部１１に同一位置（略同一を含む）で撮影された撮影画像が複数記憶されている場合には、傾き情報取得部により取得された傾き情報を基に、同一位置における複数の撮影画像を切り替えるようにしてもよい。これにより、例えば、手首を少し回転させる等により表示端末２０の傾きを変えることで、上記説明したようにキャプチャーされた撮影画像を切り替え、同一位置における異なる角度からの被写体の撮影画像を表示させることができる。したがって、表示端末２０の閲覧者は、目的地における情報をより多く取得することができる。
【産業上の利用可能性】
【００９６】
本発明は、閲覧者の位置情報に応じて、蓄積された撮影画像を検索して表示することが可能な撮影画像表示システム等に有用である。
【図面の簡単な説明】
【００９７】
【図１】本発明の実施形態における撮影画像表示システムの構成の一例を示すブロック図
【図２】本発明の実施形態における撮影画像表示システムの主要な動作の一例を示すフローチャート
【図３】本発明の実施形態における撮影画像表示システムが距離情報に応じて特定の撮影画像を切り替えることを説明するための図
【図４】本発明の実施形態における撮影画像表示システムが表示中の撮影画像から目的地を設定した場合の動作の一例を示すフローチャート
【図５】本発明の実施形態における撮影画像表示システムがビルの裏の撮影対象物を表示部に表示した様子を示す図
【図６】本発明の実施形態における撮影画像表示システムが画像サーバを利用して撮影画像を共有することを説明するための図
【符号の説明】
【００９８】
１  撮影画像表示システム
１１  撮影画像記憶部
１２  情報処理部
１３  位置情報取得部
１４  方向情報取得部
１５  距離情報取得部
１６  操作部
１７  表示部
１８  撮影部
【図１】
2010134881.tif 000003
【図２】
2010134881.tif 000004
【図３】
2010134881.tif 000005
【図４】
2010134881.tif 000006
【図５】
2010134881.tif 000007
【図６】
2010134881.tif 000008